(57)【要約】【課題】  著作物を購入する側（購入者）と著作権を管理する側（著作権管理機関）との間に位置する出版会社のシステムにおいて、著作物を購入する購入者が増えるに従い各購入者に課金される著作権利用料金の負担分が軽減されていく著作権利用料管理技術を提供することを目的とする。【解決手段】  購入者が希望する著作物が希望部数分出版可能か否かを判定し、可能でない場合は著作権管理機関から著作権を購入し、購入希望部数分の著作物を出版し該購入者から著作権利用料金の全額を徴収する。既に獲得している著作権で希望部数分出版可能である場合は、その著作権に基づいて出版し、既に出版済みの部数と今回の出版部数の合計部数で著作権利用料金を按分計算し、購入希望者に対して購入部数に対応する利用料金を課金するとともに、既に当該著作物を購入し著作権利用料金を支払い済みの購入者にその購入部数に見合う金額を返金する。【選択図】  図１
2014174564.tif 000002
【特許請求の範囲】
【請求項１】
購入者からの著作物の購入希望要求を受け付けて、該著作物の発行に伴う著作権利用料金の管理を行う著作権利用料管理システムであって、
著作権管理機関から獲得した著作権に関する著作権使用料の金額と、該獲得した著作権に基づく著作物の発行可能部数と、該獲得した著作権に基づいて発行した部数の累計である発行累計部数とを、記憶する著作権管理基本情報記憶手段と、
購入者が購入した著作物の購入部数と、その著作物の著作権使用料に係る購入者への課金分である購入金額とを、記憶する著作権管理詳細情報記憶手段と、
今回受け付けた購入希望要求の購入が、その著作物に関する初回の購入か２回目以降の購入かを判定する判定手段と、
今回受け付けた購入希望要求の購入が初回の購入であった場合に、
（１）著作権管理機関からその著作物に関して購入希望部数以上の発行可能部数を持つ著作権を獲得し、該獲得した著作権の著作権使用料の金額と、該獲得した著作権に基づく発行可能部数とを、前記著作権管理基本情報記憶手段に記憶し、
（２）今回の購入希望要求における購入希望部数を購入部数とし、前記著作権使用料の全額を購入金額として、前記著作権管理詳細情報記憶手段に記憶し、
（３）前記購入部数を、発行累計部数として前記著作権管理基本情報記憶手段に記憶し、
（４）今回の購入希望要求を出した購入者に対して、前記購入部数の前記著作物を発行する
初回購入処理手段と、
今回受け付けた購入希望要求の購入が２回目以降の購入であった場合は、
（１）既にその著作物に関して著作権管理機関から獲得済みの著作権に基づく発行可能部数と、発行累計部数とを前記著作権管理基本情報記憶手段から取得し、取得した発行可能部数と発行累計部数に基づいて、前記獲得済みの著作権を利用してあと何部発行可能かを示す残存部数を求め、該残存部数と今回の購入希望部数とを比較することにより、今回の購入希望部数の発行が可能か否かを判定し、
（２）該判定で発行可能であるときは、前記獲得済みの著作権を利用して今回購入希望部数の前記著作物を発行し、
（３）該判定で発行不可であるときは、著作権管理機関からその著作物に関して今回購入希望部数の発行ができるだけの発行可能部数を持つ著作権を獲得し、該獲得した著作権に基づいて今回購入希望部数の前記著作物を発行する
２回目以降購入処理手段と、
前記２回目以降購入処理手段の（２）で前記獲得済みの著作権を利用して今回購入希望部数の前記著作物を発行したとき、今回の購入者への課金分として、前記獲得済みの著作権を利用して今回以前に発行された部数と今回発行した購入希望部数とに基づいて当該獲得済みの著作権の著作権使用料の金額を按分計算して求めた額を購入金額として課金し、さらに、今回の購入者へ課金した額を、前記獲得済みの著作権を利用して以前に発行された著作物の購入者への返金額とする、利用料調整手段と
を備えたことを特徴とする著作権利用料管理システム。
【請求項２】
請求項１に記載の著作権利用料管理システムにおいて、
前記２回目以降購入処理手段の（３）が、
（３）’該判定で発行不可であるときは、その購入希望部数のうち、
（３−１）’前記獲得済みの著作権を利用して発行可能な前記残存部数分については、前記獲得済みの著作権を利用して前記著作物を発行し、
（３−２）’前記購入希望部数から前記（３−１）’の発行部数を減じた残りの部数については、著作権管理機関からその著作物に関して前記残りの部数以上の発行可能部数を持つ著作権を獲得し、該獲得した著作権に基づいて前記残りの部数の前記著作物を発行する
処理であり、
前記利用料調整手段が、
前記２回目以降購入処理手段の（３）’で前記獲得済みの著作権を利用して前記残存部数分の前記著作物を発行したとき、今回の購入者への課金分として、前記獲得済みの著作権を利用して今回以前に発行された部数と今回発行した前記残存部数とに基づいて当該獲得済みの著作権の著作権使用料の金額を按分計算して求めた額を購入金額として課金し、さらに、今回の購入者へ課金した額を、前記獲得済みの著作権を利用して以前に発行された著作物の購入者への返金額とする
ことを特徴とする著作権利用料管理システム。
【請求項３】
請求項１に記載の著作権利用料管理システムにおいて、
前記２回目以降購入処理手段の（３）が、
（３）”該判定で発行不可であるときは、
（３−１）”著作権管理機関に対して、その著作物に関して今回購入希望部数の発行ができるだけの発行可能部数を持つ著作権の著作権使用料を問い合わせて取得し、
（３−２）”今回購入希望部数から前記獲得済み著作権を利用して発行可能な残存部数分を引いた差分部数を求め、著作権管理機関に対して、該差分部数の発行ができるだけの発行可能部数を持つ著作権の著作権使用料を問い合わせて取得し、さらに前記獲得済みの著作権を利用して前記残存部数分を発行した場合における当該購入者の著作権使用料の負担分を算出し、該負担分と前記差分部数分の発行ができるだけの著作権使用料との合計を求め、
（３−３）”前記（３−１）”で取得した著作権使用料と前記（３−２）”で求めた合計とを比較判定し、
（３−４）”前記（３−１）”で取得した著作権使用料の方が安い場合は、前記購入希望部数の発行ができるだけの発行可能部数を持つ著作権を獲得し、該獲得した著作権に基づいて前記購入希望部数分の前記著作物を発行し、
（３−５）”前記（３−２）”で求めた合計の方が安い場合は、前記獲得済みの著作権を利用して発行可能な前記残存部数分については、前記獲得済みの著作権を利用して前記著作物を発行し、前記差分部数分については、該差分部数分の発行ができるだけの発行可能部数を持つ著作権を獲得し、該獲得した著作権に基づいて前記差分部数分の前記著作物を発行する
処理であり、
前記利用料調整手段が、
前記２回目以降購入処理手段の（３−５）”で前記獲得済みの著作権を利用して前記残存部数分の前記著作物を発行したとき、今回の購入者への課金分として、前記獲得済みの著作権を利用して今回以前に発行された部数と今回発行した前記残存部数とに基づいて当該獲得済みの著作権の著作権使用料の金額を按分計算して求めた額を課金分に加算し、さらに、今回の購入者へ課金分として加算した額を、前記獲得済みの著作権を利用して以前に発行された著作物の購入者への返金額とする
ことを特徴とする著作権利用料管理システム。
【請求項４】
コンピュータを利用して、購入者からの著作物の購入希望要求を受け付け、該著作物の発行に伴う著作権利用料金の管理を行う著作権利用料管理方法であって、
前記コンピュータ上に、著作権管理機関から獲得した著作権に関する著作権使用料の金額と、該獲得した著作権に基づく著作物の発行可能部数と、該獲得した著作権に基づいて発行した部数の累計である発行累計部数とを記憶する著作権管理基本情報記憶手段と、購入者が購入した著作物の購入部数と、その著作物の著作権使用料に係る購入者への課金分である購入金額とを、記憶する著作権管理詳細情報記憶手段とを用意し、
コンピュータが備える判定手段が、今回受け付けた購入希望要求の購入が、その著作物に関する初回の購入か２回目以降の購入かを判定する工程と、
コンピュータが備える初回購入処理手段が、今回受け付けた購入希望要求の購入が初回の購入であった場合に、
（１）著作権管理機関からその著作物に関して購入希望部数以上の発行可能部数を持つ著作権を獲得し、該獲得した著作権の著作権使用料の金額と、該獲得した著作権に基づく発行可能部数とを、前記著作権管理基本情報記憶手段に記憶し、
（２）今回の購入希望要求における購入希望部数を購入部数とし、前記著作権使用料の全額を購入金額として、前記著作権管理詳細情報記憶手段に記憶し、
（３）前記購入部数を、発行累計部数として前記著作権管理基本情報記憶手段に記憶し、
（４）今回の購入希望要求を出した購入者に対して、前記購入部数の前記著作物を発行する
工程と、
コンピュータが備える２回目以降購入処理手段が、今回受け付けた購入希望要求の購入が２回目以降の購入であった場合は、
（１）既にその著作物に関して著作権管理機関から獲得済みの著作権に基づく発行可能部数と、発行累計部数とを前記著作権管理基本情報記憶手段から取得し、取得した発行可能部数と発行累計部数に基づいて、前記獲得済みの著作権を利用してあと何部発行可能かを示す残存部数を求め、該残存部数と今回の購入希望部数とを比較することにより、今回の購入希望部数の発行が可能か否かを判定し、
（２）該判定で発行可能であるときは、前記獲得済みの著作権を利用して今回購入希望部数の前記著作物を発行し、
（３）該判定で発行不可であるときは、著作権管理機関からその著作物に関して今回購入希望部数の発行ができるだけの発行可能部数を持つ著作権を獲得し、該獲得した著作権に基づいて今回購入希望部数の前記著作物を発行する
工程と、
コンピュータが備える利用料調整手段が、前記２回目以降購入処理手段の（２）で前記獲得済みの著作権を利用して今回購入希望部数の前記著作物を発行したとき、今回の購入者への課金分として、前記獲得済みの著作権を利用して今回以前に発行された部数と今回発行した購入希望部数とに基づいて当該獲得済みの著作権の著作権使用料の金額を按分計算して求めた額を購入金額として課金し、さらに、今回の購入者へ課金した額を、前記獲得済みの著作権を利用して以前に発行された著作物の購入者への返金額とする、工程と
を備えたことを特徴とする著作権利用料管理方法。
【発明の詳細な説明】
【技術分野】
【０００１】
本発明は、種々の著作物を利用する際に発生する著作権利用料を管理するシステムおよび方法に関するものである。
【背景技術】
【０００２】
出版会社が例えば歌詞や楽譜などの著作物を印刷物として出版する場合、著作権を管理する機関（著作権管理機関）に著作権利用料を支払って出版するのが一般的である。著作権管理機関に支払う著作権利用料は、数量枠で決められていることが多く、例えば数量枠が１００部単位であると、１部のみの出版であっても１００部出版が可能な著作権利用料を支払う必要がある。このため出版会社では、出版部数を予測して、「１部」に賦課する著作権利用料を設定して出版を行うが、購入者が少なく、予測した出版部数に満たない場合、出版会社が著作権管理機関に支払った著作権利用料を回収できないという問題が発生する。
【０００３】
また、ほとんど購入者がいない著作物の場合は、出版可能な在庫を持つ出版会社を探し出すのに非常な困難が予想され、どの出版会社にも在庫が無い場合は、一人の購入者自身が著作権利用料全額を負担して出版してもらう必要があるという問題がある。
【０００４】
下記特許文献１には、利用した著作権付き創作物のデータの利用実績に応じて料金を支払うデータ管理システムが開示されている。
【先行技術文献】
【特許文献】
【０００５】
【特許文献１】特開２００２-１４０６２７号公報
【発明の概要】
【発明が解決しようとする課題】
【０００６】
特許文献１に記載のデータ管理システムは、著作権を管理する側（著作権管理機関）のシステムに関するものであり、著作物を購入する側（購入者）にとっては、数量枠で著作権利用料が決められている著作権管理機関が保有している著作物に対して、１部の購入であっても数量枠で決められた著作権利用料を全額支払う必要があるという課題が解決されないという問題がある。
【０００７】
本発明は、著作物を購入する側（購入者）と、著作権を管理する側（著作権管理機関）との間に位置する出版会社のシステムにおいて、著作物を購入する購入者が増えるに従い、各購入者に課金される著作権利用料金の負担分が軽減されていく、著作権利用料管理システムおよび方法を提供することを目的とする。
【課題を解決するための手段】
【０００８】
上記目的を達成するため、請求項１に係る発明は、購入者からの著作物の購入希望要求を受け付けて、該著作物の発行に伴う著作権利用料金の管理を行う著作権利用料管理システムであって、著作権管理機関から獲得した著作権に関する著作権使用料の金額と、該獲得した著作権に基づく著作物の発行可能部数と、該獲得した著作権に基づいて発行した部数の累計である発行累計部数とを、記憶する著作権管理基本情報記憶手段と、購入者が購入した著作物の購入部数と、その著作物の著作権使用料に係る購入者への課金分である購入金額とを、記憶する著作権管理詳細情報記憶手段と、今回受け付けた購入希望要求の購入が、その著作物に関する初回の購入か２回目以降の購入かを判定する判定手段と、今回受け付けた購入希望要求の購入が初回の購入であった場合に、（１）著作権管理機関からその著作物に関して購入希望部数以上の発行可能部数を持つ著作権を獲得し、該獲得した著作権の著作権使用料の金額と、該獲得した著作権に基づく発行可能部数とを、前記著作権管理基本情報記憶手段に記憶し、（２）今回の購入希望要求における購入希望部数を購入部数とし、前記著作権使用料の全額を購入金額として、前記著作権管理詳細情報記憶手段に記憶し、（３）前記購入部数を、発行累計部数として前記著作権管理基本情報記憶手段に記憶し、（４）今回の購入希望要求を出した購入者に対して、前記購入部数の前記著作物を発行する初回購入処理手段と、今回受け付けた購入希望要求の購入が２回目以降の購入であった場合は、（１）既にその著作物に関して著作権管理機関から獲得済みの著作権に基づく発行可能部数と、発行累計部数とを前記著作権管理基本情報記憶手段から取得し、取得した発行可能部数と発行累計部数に基づいて、前記獲得済みの著作権を利用してあと何部発行可能かを示す残存部数を求め、該残存部数と今回の購入希望部数とを比較することにより、今回の購入希望部数の発行が可能か否かを判定し、（２）該判定で発行可能であるときは、前記獲得済みの著作権を利用して今回購入希望部数の前記著作物を発行し、（３）該判定で発行不可であるときは、著作権管理機関からその著作物に関して今回購入希望部数の発行ができるだけの発行可能部数を持つ著作権を獲得し、該獲得した著作権に基づいて今回購入希望部数の前記著作物を発行する２回目以降購入処理手段と、前記２回目以降購入処理手段の（２）で前記獲得済みの著作権を利用して今回購入希望部数の前記著作物を発行したとき、今回の購入者への課金分として、前記獲得済みの著作権を利用して今回以前に発行された部数と今回発行した購入希望部数とに基づいて当該獲得済みの著作権の著作権使用料の金額を按分計算して求めた額を購入金額として課金し、さらに、今回の購入者へ課金した額を、前記獲得済みの著作権を利用して以前に発行された著作物の購入者への返金額とする、利用料調整手段とを備えたことを特徴とする。
【０００９】
請求項２に係る発明は、請求項１に記載の著作権利用料管理システムにおいて、前記２回目以降購入処理手段の（３）が、（３）’該判定で発行不可であるときは、その購入希望部数のうち、（３−１）’前記獲得済みの著作権を利用して発行可能な前記残存部数分については、前記獲得済みの著作権を利用して前記著作物を発行し、（３−２）’前記購入希望部数から前記（３−１）’の発行部数を減じた残りの部数については、著作権管理機関からその著作物に関して前記残りの部数以上の発行可能部数を持つ著作権を獲得し、該獲得した著作権に基づいて前記残りの部数の前記著作物を発行する処理であり、前記利用料調整手段が、前記２回目以降購入処理手段の（３）’で前記獲得済みの著作権を利用して前記残存部数分の前記著作物を発行したとき、今回の購入者への課金分として、前記獲得済みの著作権を利用して今回以前に発行された部数と今回発行した前記残存部数とに基づいて当該獲得済みの著作権の著作権使用料の金額を按分計算して求めた額を購入金額として課金し、さらに、今回の購入者へ課金した額を、前記獲得済みの著作権を利用して以前に発行された著作物の購入者への返金額とすることを特徴とする。
【００１０】
請求項３に係る発明は、請求項１に記載の著作権利用料管理システムにおいて、前記２回目以降購入処理手段の（３）が、（３）”該判定で発行不可であるときは、（３−１）”著作権管理機関に対して、その著作物に関して今回購入希望部数の発行ができるだけの発行可能部数を持つ著作権の著作権使用料を問い合わせて取得し、（３−２）”今回購入希望部数から前記獲得済み著作権を利用して発行可能な残存部数分を引いた差分部数を求め、著作権管理機関に対して、該差分部数の発行ができるだけの発行可能部数を持つ著作権の著作権使用料を問い合わせて取得し、さらに前記獲得済みの著作権を利用して前記残存部数分を発行した場合における当該購入者の著作権使用料の負担分を算出し、該負担分と前記差分部数分の発行ができるだけの著作権使用料との合計を求め、（３−３）”前記（３−１）”で取得した著作権使用料と前記（３−２）”で求めた合計とを比較判定し、（３−４）”前記（３−１）”で取得した著作権使用料の方が安い場合は、前記購入希望部数の発行ができるだけの発行可能部数を持つ著作権を獲得し、該獲得した著作権に基づいて前記購入希望部数分の前記著作物を発行し、（３−５）”前記（３−２）”で求めた合計の方が安い場合は、前記獲得済みの著作権を利用して発行可能な前記残存部数分については、前記獲得済みの著作権を利用して前記著作物を発行し、前記差分部数分については、該差分部数分の発行ができるだけの発行可能部数を持つ著作権を獲得し、該獲得した著作権に基づいて前記差分部数分の前記著作物を発行する処理であり、前記利用料調整手段が、前記２回目以降購入処理手段の（３−５）”で前記獲得済みの著作権を利用して前記残存部数分の前記著作物を発行したとき、今回の購入者への課金分として、前記獲得済みの著作権を利用して今回以前に発行された部数と今回発行した前記残存部数とに基づいて当該獲得済みの著作権の著作権使用料の金額を按分計算して求めた額を課金分に加算し、さらに、今回の購入者へ課金分として加算した額を、前記獲得済みの著作権を利用して以前に発行された著作物の購入者への返金額とすることを特徴とする。
【００１１】
請求項４に係る発明は、コンピュータを利用して、購入者からの著作物の購入希望要求を受け付け、該著作物の発行に伴う著作権利用料金の管理を行う著作権利用料管理方法であって、前記コンピュータ上に、著作権管理機関から獲得した著作権に関する著作権使用料の金額と、該獲得した著作権に基づく著作物の発行可能部数と、該獲得した著作権に基づいて発行した部数の累計である発行累計部数とを記憶する著作権管理基本情報記憶手段と、購入者が購入した著作物の購入部数と、その著作物の著作権使用料に係る購入者への課金分である購入金額とを、記憶する著作権管理詳細情報記憶手段とを用意し、コンピュータが備える判定手段が、今回受け付けた購入希望要求の購入が、その著作物に関する初回の購入か２回目以降の購入かを判定する工程と、コンピュータが備える初回購入処理手段が、今回受け付けた購入希望要求の購入が初回の購入であった場合に、（１）著作権管理機関からその著作物に関して購入希望部数以上の発行可能部数を持つ著作権を獲得し、該獲得した著作権の著作権使用料の金額と、該獲得した著作権に基づく発行可能部数とを、前記著作権管理基本情報記憶手段に記憶し、（２）今回の購入希望要求における購入希望部数を購入部数とし、前記著作権使用料の全額を購入金額として、前記著作権管理詳細情報記憶手段に記憶し、（３）前記購入部数を、発行累計部数として前記著作権管理基本情報記憶手段に記憶し、（４）今回の購入希望要求を出した購入者に対して、前記購入部数の前記著作物を発行する工程と、コンピュータが備える２回目以降購入処理手段が、今回受け付けた購入希望要求の購入が２回目以降の購入であった場合は、（１）既にその著作物に関して著作権管理機関から獲得済みの著作権に基づく発行可能部数と、発行累計部数とを前記著作権管理基本情報記憶手段から取得し、取得した発行可能部数と発行累計部数に基づいて、前記獲得済みの著作権を利用してあと何部発行可能かを示す残存部数を求め、該残存部数と今回の購入希望部数とを比較することにより、今回の購入希望部数の発行が可能か否かを判定し、（２）該判定で発行可能であるときは、前記獲得済みの著作権を利用して今回購入希望部数の前記著作物を発行し、（３）該判定で発行不可であるときは、著作権管理機関からその著作物に関して今回購入希望部数の発行ができるだけの発行可能部数を持つ著作権を獲得し、該獲得した著作権に基づいて今回購入希望部数の前記著作物を発行する工程と、コンピュータが備える利用料調整手段が、前記２回目以降購入処理手段の（２）で前記獲得済みの著作権を利用して今回購入希望部数の前記著作物を発行したとき、今回の購入者への課金分として、前記獲得済みの著作権を利用して今回以前に発行された部数と今回発行した購入希望部数とに基づいて当該獲得済みの著作権の著作権使用料の金額を按分計算して求めた額を購入金額として課金し、さらに、今回の購入者へ課金した額を、前記獲得済みの著作権を利用して以前に発行された著作物の購入者への返金額とする、工程とを備えたことを特徴とする。
【発明の効果】
【００１２】
本発明によれば、出版会社に出版できる在庫が無い場合、初回にその著作物を購入する人（第１の購入者）に、著作権使用料を全額支払ってもらい、第２の購入者が現れた時点で、第１の購入者と第２の購入者との購入部数比例で著作権使用料を按分計算し、按分計算された負担分を第２の購入者は出版会社に支払し、出版会社では、第２の購入者が支払った按分計算された負担分を第１の購入者に返金する。同様に、新たな購入者が発生するごとに、著作権利用料金を今までに購入された購入部数比例で按分計算して、新規購入者から徴収し、それを過去に著作権利用料を支払った購入者に購入部数比例で返金していく。これにより、著作権利用料を全額支払った購入者に対し、第２・第３の購入者が現れる毎に、支払い済みの著作権利用料の一部が返金されていく仕組みが実現される。従って、出版会社にとっては、著作権利用料の回収不足が一切発生しないため、どんなマイナーな著作物に対しても、リスクを負わずに出版できる。また購入者にとっては、本システムに申し込めば著作物が必ず手に入り、しかも後に第２・第３の購入者が現れると、既に支払い済みの著作権利用料が返金されるというメリットを得られる。また、返金を「ポイント」として管理し、そのポイントを次回の著作物購入に使えるようにすれば、利用者の囲い込みにも効果を発揮するという、出版会社のメリットも生じる。
【図面の簡単な説明】
【００１３】
【図１】本発明の実施形態である楽譜出版システムの全体の構成を示すブロック図である。
【図２】楽譜識別番号変換ＤＢの構成を示すブロック図である。
【図３】楽譜版数管理ＤＢの構成を示すブロック図である。
【図４】楽譜管理基本情報ＤＢの構成を示すブロック図である。
【図５】楽譜管理詳細情報ＤＢの構成を示すブロック図である。
【図６】購入者ポイント情報ＤＢの構成を示すブロック図である。
【図７Ａ】４人の購入者が順に購入した場合に各ＤＢの値が初期値からどのように変化するかを具体的に表したブロック図（その１）である。
【図７Ｂ】４人の購入者が順に購入した場合に各ＤＢの値が初期値からどのように変化するかを具体的に表したブロック図（その２）である。
【図７Ｃ】４人の購入者が順に購入した場合に各ＤＢの値が初期値からどのように変化するかを具体的に表したブロック図（その３）である。
【図８】１人目が楽譜を購入したときの具体的な処理フロー図である。
【図９】２人目が楽譜を購入したときの具体的な処理フロー図である。
【図１０】３人目が楽譜を購入したときの具体的な処理フロー図である。
【図１１Ａ】４人目が楽譜を購入したときの具体的な処理フロー図（その１）である。
【図１１Ｂ】４人目が楽譜を購入したときの具体的な処理フロー図（その２）である。
【図１２】獲得済み著作権を利用する購入処理の概要処理フロー図である。
【発明を実施するための形態】
【００１４】
以下、図面を用いて本発明の実施の形態を説明する。
【００１５】
図１〜図１２は、本発明の一実施形態を例示する図であり、これらの図において、同一の符号を付した部分は同一物を表し、基本的な構成および動作は同様であるものとする。なお、以下の実施の形態では、本発明を楽譜出版システムに利用した例を説明するが、本発明は、楽譜に限らず種々の著作物の著作権利用料の管理に適用できるものである。
【００１６】
図１は、本発明の一実施形態の楽譜出版システムを含むシステム全体の構成を示すブロック図である。図１において、購入者端末１０２と、楽譜出版システム１０１と、著作権管理機関１０３とは、ネットワーク１０４（例えばインターネット）に接続されている。購入者端末１０２は、楽譜の購入を希望する購入者が利用するＰＣ等である。著作権管理機関１０３は、ネットワーク１０４を介して楽譜の出版権の取得要求があったとき、当該楽譜の出版権を許可するための各種の情報を返送する著作権管理会社のシステムである。
【００１７】
楽譜出版システム１０１は、ネットワーク１０４との通信を制御する通信インタフェース部１０５と、楽譜ＤＢ１１３と、制御部１０６と、楽譜識別番号変換ＤＢ１０７と、楽譜版数管理ＤＢ１０８と、楽譜管理基本情報ＤＢ１０９と、楽譜管理詳細情報ＤＢ１１０と、購入者ポイント情報ＤＢ１１１と、楽譜出版部１１２とを備える。楽譜出版システム１０１全体の制御は制御部１０６により行われ、該制御部１０６は、判定手段１２１、初回購入処理手段１２２、２回目以降購入処理手段１２３、および利用料調整手段１２４を備える。楽譜出版システム１０１は、例えば汎用のＰＣで所定のプログラムを実行することにより実現される。上記各手段１２１〜１２４で実行する処理については、後にフローチャートなどを参照して説明する。
【００１８】
図２は、本実施形態の楽譜出版システム１０１で管理している、楽譜識別番号変換ＤＢ１０７の構成を示すブロック図である。楽譜識別番号変換ＤＢ１０７には、出版社が著作権管理機関１０３から出版権を購入した楽譜の、曲名２０１、作曲者２０２、作詞者２０３、および楽譜識別番号２０４が格納される。楽譜識別番号２０４は、本システム内で楽譜を一意に特定できるように付されたＩＤである。本楽譜識別番号変換ＤＢ１０７に、例えば曲名α・作曲者α・作詞者αを入力すると、対応する楽譜識別番号として楽譜αを取得することができる。
【００１９】
図３は、本実施形態の楽譜出版システム１０１で管理している、楽譜版数管理ＤＢ１０８の構成を示すブロック図である。楽譜版数管理ＤＢ１０８には、出版社が著作権管理機関１０３から出版権を購入した楽譜の、楽譜識別番号毎の、版数３０１と出版状況３０２が格納される。出版状況３０２は、「０」が未出版、「１」が出版中、「２」が出版終了を表している。
【００２０】
図４は、本実施形態の楽譜出版システム１０１で管理している、楽譜管理基本情報ＤＢ１０９の構成を示すブロック図である。楽譜管理基本情報ＤＢ１０９には、出版社が著作権管理機関１０３から出版権を購入した楽譜の、著作権使用料４０１と、出版可能部数４０２と、購入番号４０３と、出版累計部数４０４が格納される。これらの情報は、楽譜識別番号で特定される楽譜およびその版毎に格納される。著作権使用料４０１は、その楽譜のその版の出版権を獲得するために出版社が著作権管理機関１０３に支払った（あるいは支払う）使用料の額である。出版可能部数４０２は、使用料を支払ったその版で出版可能な部数である。購入番号４０３は、その楽譜のその版について現状で何回の購入が為されているかを示す。出版累計部数４０４は、その楽譜のその版について出版した部数の累計である。出版可能部数４０２から出版累計部数４０４を引いた値が、その版で発行可能な残存部数を示す。この残存部数が０になったら、その版については出版終了となる。なお以下では、例えば楽譜αの１版は「楽譜α−１版」、２版は「楽譜α−２版」というように記載するものとする。
【００２１】
図５は、本実施形態の楽譜出版システム１０１で管理している、楽譜管理詳細情報ＤＢ１１０の構成を示すブロック図である。楽譜管理詳細情報ＤＢ１１０には、出版社が著作権管理機関１０３から出版権を購入して出版した楽譜を購入者が購入した際の購入情報等を格納する。具体的には、楽譜識別番号で特定される楽譜およびその版毎に、購入番号５０１と、購入者識別番号５０２と、購入部数５０３と、購入金額５０４と、獲得ポイント５０５が格納される。
【００２２】
購入番号５０１は、その楽譜のその版についての購入の順番を表す。購入者識別番号５０２は、その購入を行った購入者を特定するＩＤである。購入部数５０３は、その購入における部数である。購入金額５０４は、その購入時にその購入者が支払った（あるいは支払う）金額である。なお、ここでは著作権使用料のみについて着目しており、購入金額５０４は、出版社が著作権管理機関１０３に支払った著作権使用料（全額）のうち今回の購入で購入者に課金される負担分（著作権利用料）を意味するものである。実際には印刷代や人件費などが上乗せされるがそれらについては本願では考慮しない。獲得ポイント５０５は、当該購入の購入者が、当該購入に関連して獲得したポイントである。当該購入時に、当該購入者に対して購入金額５０４だけ課金されるが、その後にその購入と同じ版での購入が為された場合には、その後の購入に応じた返金分が発生するので、その返金分をポイントの形で獲得ポイント５０５に返金するものである。１ポイント＝１円で換算する。
【００２３】
図６は、本発明の楽譜出版システム１０１で管理している、購入者ポイント情報ＤＢ１１１の構成を示すブロック図である。購入者ポイント情報ＤＢ１１１には、購入者毎に、獲得ポイント合計６０１と、利用ポイント合計６０２と、残ポイント合計６０３を格納する。獲得ポイント合計６０１は、その購入者が獲得したポイント（獲得ポイント５０５）の合計である。利用ポイント合計６０２は、その購入者が利用したポイントの合計である。残ポイント合計６０３は、獲得ポイント合計６０１から利用ポイント合計６０２を減算した残りのポイントである。購入者が何らかの購入を行うと上述の購入金額５０４の課金が行われるが、残ポイント合計６０３に残ポイントがある場合にはそれを充当することができる。そのようなポイントの使用システムは、従前より知られているものを用いればよい。
【００２４】
図７Ａ〜図７Ｃ（合わせて図７と呼ぶ）は、「楽譜α」を４人の購入者（購入者Ａ、Ｂ、Ｃ、Ｄ）が順番にそれぞれの部数を購入するときの、楽譜出版システム１０１で管理している各種情報の遷移を示す図である。図８〜図１１は、それらの各場合における楽譜出版システム１０１の楽譜購入処理フローを示す。以下では、図７と図８〜図１１とを対比させて楽譜出版システム１０１の動作を説明する。
【００２５】
図８は、１人目の「購入者Ａ」が「楽譜α」を「1,500部」購入する要求を購入者端末１０２からネットワーク１０４を介して送信した場合に、それを受けた楽譜出版システム１０１の制御部１０６が実行する処理フローを示す。「１人目」とは、当該楽譜を未だ誰も購入しておらず、楽譜出版システム１０１でも当該楽譜の著作権（出版権）を獲得していなかったことを意味する。１人目の楽譜購入処理（ステップ８００）では、購入を希望する楽譜の、曲名（曲名α）・作曲者（作曲者α）・作詞者（作詞者α）および購入部数（1,500部）情報を購入者Ａから取得し（ステップ８０１）、楽譜識別番号変換ＤＢ１０７（図２）を検索して、ステップ８０１で取得した「曲名α」・「作曲者α」・「作詞者α」に対応する楽譜識別番号２０４を抽出し（ステップ８０２）、その抽出結果で分岐する（ステップ８０３）。ここでは、まだ「楽譜α」の出版権は獲得されておらず楽譜識別番号変換ＤＢ１０７に当該楽譜に対応するエントリが存在しないため、ステップ８０３の抽出結果で「抽出失敗」と判定される。この場合、新規出版権獲得のためにステップ８０４の処理に進む。なお、これより以前に当該楽譜の購入者がいた場合は、楽譜識別番号変換ＤＢ１０７に当該楽譜のエントリがあるはずだから、ステップ８０３の分岐でステップ８１５に進む。この場合は、図９のステップ９０３、図１０のステップ１００３、図１１Ａのステップ１１０３などに進む。
【００２６】
ステップ８０４以降の処理を説明する。まず、著作権管理機関１０３にアクセスして、ステップ８０１で取得した曲名α・作曲者α・作詞者αに対応する楽譜の新規出版権を獲得し、楽譜・楽譜識別番号（楽譜α）・著作権使用料（1,890円）・出版可能部数（2,500部）に関する情報を取得する（ステップ８０４）。なお、本実施形態の著作権管理機関１０３は、ネットワーク１０４を介して楽譜の出版権の獲得要求を受けたとき、その獲得要求が適正なものであれば、オンラインで当該出版権を付与し、関連する情報を返送する機能を備えているものとする。もちろん、オフラインでステップ８０４の情報の取得を行うようにしてもよい。また、ここでは、楽譜αの著作権使用料が1,890円、出版可能部数が2,500部であるものとして説明する。
【００２７】
次に、ステップ８０４で新規出版権を獲得した「楽譜α」の楽譜データ（例えばＰＤＦファイルなどで提供される）を、当該楽譜識別番号と関連付けて楽譜ＤＢ１１３に格納し（ステップ８０５）、楽譜識別番号変換ＤＢ１０７（図２）に新規エントリを追加し、該エントリの曲名２０１、作曲者２０２、および作詞者２０３に、ステップ８０１で取得した「曲名α」・「作曲者α」・「作詞者α」を格納する（ステップ８０６）。次に、楽譜識別番号変換ＤＢ１０７の当該エントリの楽譜識別番号２０４に、ステップ８０４で取得した楽譜の楽譜識別番号「楽譜α」を格納する（ステップ８０７）。なお、本実施形態では、楽譜を一意に特定するＩＤである楽譜識別番号は、著作権管理機関１０３から与えられたＩＤを利用しているが、楽譜出版システム１０１側で付けたＩＤを用いてもよい。
【００２８】
次に、楽譜版数管理ＤＢ１０８（図３）に「楽譜α」に関する新規エントリ３１０を追加し、該エントリ３１０の版数「１版」の出版状況３１１に「出版中」を示す「１」を設定する（ステップ８０８）。また、楽譜管理基本情報ＤＢ１０９（図４）に「楽譜α−１版」の新規エントリ４１０を追加し、該エントリ４１０の著作権使用料４０１に、ステップ８０４で獲得した著作権使用料「1,890」円を設定し（ステップ８０９）、該エントリ４１０の出版可能部数４０２に、ステップ８０４で獲得した出版可能部数「2,500」部を設定し（ステップ８１０）、該エントリ４１０の購入番号４０３に「１」を、出版累計部数４０４に購入者Ａの購入部数である「1,500」部を、設定する（ステップ８１１）。
【００２９】
さらに、楽譜管理詳細情報ＤＢ１１０（図５）に「楽譜α−１版」のエントリ５１０を追加し、該エントリ５１０の購入番号「１」に該当する楽譜管理詳細情報５１１の購入者識別番号５０２に「購入者Ａ」、購入部数５０３に「1,500」部、購入金額５０４に「1,890」円を設定する（ステップ８１２）。不図示だが、この楽譜管理詳細情報５１１へ設定した情報に沿って、出版社から購入者Ａに購入金額「1,890」円を課金し、任意の方法で購入者Ａに支払ってもらうものとする。
【００３０】
最後に、楽譜出版部１１２で、楽譜αを1,500部出版し、購入者Ａに送付し（ステップ８１３）、楽譜購入処理（１人目）を終了する（ステップ８１４）。ステップ８１３の出版の方法は任意である。例えば、楽譜出版システム１０１を運営している出版会社が楽譜αを1,500部印刷して購入者Ａに送付してもよいし、1,500部印刷可能な制限をかけた電子データを購入者Ａに送付してもよい。
【００３１】
上記図８の処理のうち、ステップ８０１〜８０３は図１の判定手段１２１の処理に相当する。ステップ８０４〜８１３は初回購入処理手段１２２の処理に相当する。
【００３２】
上記図８の処理により、各ＤＢの楽譜αに係る内容は、図７（１）の初期値から図７（２）の内容に遷移する。新規に楽譜αの出版権が獲得され、該出版権に基づいて１人目の購入者Ａに1,500部出版したので、図７（２）では、楽譜版数管理ＤＢ１０８の楽譜αの１版の出版状況３０２が出版中を示す「１」とされ、楽譜管理基本情報ＤＢ１０９には、出版権を獲得するために出版社が著作権管理機関１０３に支払った（あるいは支払う）著作権使用料４０１として「1,890円」が、該著作権に基づいて出版可能な部数４０２として「2,500部」が、初回の購入が為されたことを示す購入番号４０３として「１」が、出版累計部数として「1,500部」が、それぞれ設定されている。また、楽譜管理詳細情報ＤＢ１１０には、、購入番号５０１が「１」のエントリに、購入者識別番号５０２として「購入者Ａ」が、購入部数５０３として「1,500部」が、購入金額５０４として「1,890円」が、それぞれ設定されている。初回の購入者であるので、購入部数がその著作権による出版可能部数に満たなくても、その著作権使用料の全額が購入者Ａに課金され、購入金額５０４は「1,890円」になっている。獲得ポイント５０５は、この時点では初期値の「０」である。
【００３３】
なお、図７（１）では初期状態で各ＤＢに楽譜αに関するエントリがあるかのように図示したが、図８で説明したように各ＤＢにおいて必要になったときにエントリが確保されデータが書き込まれるので、図７（１）の初期値はエントリが確保されたときの初期状態を示すものである。
【００３４】
図９は、「楽譜α」についての２人目の「購入者Ｂ」が「楽譜α」を「2,000部」購入する要求を購入者端末１０２からネットワーク１０４を介して送信した場合に、それを受けた楽譜出版システム１０１の制御部１０６が実行する処理フローを示す。２人目の楽譜購入処理（ステップ９００）では、購入を希望する楽譜の、曲名（曲名α）・作曲者（作曲者α）・作詞者（作詞者α）および購入部数（2,000部）情報を、購入者（購入者Ｂ）から取得し（ステップ９０１）、楽譜識別番号変換ＤＢ１０７を検索して、ステップ９０１で取得した「曲名α」・「作曲者α」・「作詞者α」に対応する楽譜識別番号２０４を抽出し（ステップ９０２）、その抽出結果で分岐する（ステップ９２０）。ここでは「楽譜α」は既に１人目の購入があり楽譜識別番号変換ＤＢ１０７にエントリがあるから、ステップ９２０の抽出結果で「抽出成功」と判定され、ステップ９０３に進む。なお、「抽出失敗」の場合は今回の購入者が１人目の購入者であったということであるから、ステップ９２０の分岐でステップ９２１に進む。この場合は、図８のステップ８０４以降の処理が行われる。
【００３５】
ステップ９０３以降の処理を説明する。まず、楽譜版数管理ＤＢ１０８から「楽譜α」のエントリ３１０を抽出し、出版状況３０２が出版中「１」の版数を取得する（ステップ９０３）。この時点では１版が出版中であるから、「１版」が取得される。取得されたのが「１版」であるので、楽譜管理基本情報ＤＢ１０９の「楽譜α−１版」のエントリ４１０を抽出し、該エントリ４１０から、出版可能部数４０２（2,500部）と出版累計部数４０４（1,500部）を取得し、購入者Ｂが希望する購入部数（2,000部）の出版が可能か判定する（ステップ９０４）。ここでは、
2,500 - 1,500  <  2,000 （出版不可）
であり、この版で出版可能な残存部数は 2,500 - 1,500 = 1,000部しかないので、ステップ９０５の判定結果で「出版不可」と判定される。「出版不可」の場合は、追加出版権獲得のためにステップ９０６に進む。なお、「出版可能」の場合は、ステップ９０５の分岐でステップ９１４に進み、図１０のステップ１００６以降の処理が行われる。
【００３６】
ステップ９０６以降の追加出版権獲得のための処理を説明する。著作権管理機関１０３にアクセスして、ステップ９０１で取得した曲名α・作曲者α・作詞者αに対応する楽譜の追加出版権を獲得する（ステップ９０６）。次に、楽譜版数管理ＤＢ１０８の「楽譜α」のエントリ３１０の版数「２版」の出版状況３１２に「出版中」を示す「１」を設定する（ステップ９０７）。ここで版数「２版」を設定対象としたのは、ステップ９０５までの処理で「１版」の出版権では今回の購入者Ｂに対する出版ができないと判定されたため、「１版」の次の版数「２版」を次の設定対象としたものである。
【００３７】
次に、楽譜管理基本情報ＤＢ１０９に「楽譜α−２版」のエントリ４２０を追加し、該エントリ４２０の著作権使用料４０１に、「楽譜α−１版」のエントリ４１０の著作権使用料４０１と同一の内容（「1,890」円）を設定し（ステップ９０８）、エントリ４２０の出版可能部数４０２にエントリ４１０の出版可能部数４０２と同一の内容（「2,500」部）を設定し（ステップ９０９）、エントリ４２０の購入番号４０３に「１」を、出版累計部数４０４に「2,000」部を設定する（ステップ９１０）。なお、本例では「２版」（およびそれ以降）の出版権も「１版」と同じ著作権使用料と出版可能部数であることを前提としているが、著作権使用料と出版可能部数の組み合わせの選択肢が複数ある場合は、その中から適宜選択した著作権使用料と出版可能部数を設定してもよい。
【００３８】
さらに、楽譜管理詳細情報ＤＢ１１０に「楽譜α−２版」のエントリ５２０を追加し、該エントリ５２０の購入番号「１」に該当する楽譜管理詳細情報５２１の購入者識別番号５０２に「購入者Ｂ」、購入部数５０３に「2,000」部、購入金額５０４に「1,890」円を設定する（ステップ９１１）。不図示だが、この楽譜管理詳細情報５２１へ設定した情報に沿って、出版社から購入者Ｂに購入金額「1,890」円を課金し、任意の方法で購入者Ｂに支払ってもらうものとする。最後に、楽譜出版部１１２で、楽譜αを2,000部出版し、購入者Ｂに送付し（ステップ９１２）、楽譜購入処理（２人目）を終了する（ステップ９１３）。
【００３９】
上記図９の処理のうち、ステップ９０１，９０２，９２０は図１の判定手段１２１の処理に相当する。ステップ９０３〜９１２は２回目以降購入処理手段１２３の処理に相当する。
【００４０】
上記図９の処理により、各ＤＢの楽譜αに係る内容は、図７（２）から図７（３）へと遷移する。追加で楽譜αの出版権が獲得され、該追加の出版権に基づいて２人目の購入者Ｂに2,000部出版したので、図７（３）では、楽譜版数管理ＤＢ１０８の楽譜αの２版の出版状況３０２が出版中を示す「１」とされ、楽譜管理基本情報ＤＢ１０９の「楽譜α−２版」のエントリには、出版権を獲得するために出版社が著作権管理機関１０３に支払った（あるいは支払う）著作権使用料４０１として「1,890円」が、該著作権に基づいて出版可能な部数４０２として「2,500部」が、この版についての初回の購入が為されたことを示す購入番号４０３として「１」が、出版累計部数として「2,000部」が、それぞれ設定されている。また、楽譜管理詳細情報ＤＢ１１０の「楽譜α−２版」のエントリには、、購入番号５０１が「１」のエントリに、購入者識別番号５０２として「購入者Ｂ」が、購入部数５０３として「2,000部」が、購入金額５０４として「1,890円」が、それぞれ設定されている。この２版についての初回の購入者であるので、購入部数がその著作権による出版可能部数に満たなくても、その著作権使用料の全額が購入者Ｂに課金され、購入金額５０４は「1,890円」になっている。獲得ポイント５０５は、この時点では初期値の「０」である。
【００４１】
図１０は、「楽譜α」についての３人目の「購入者Ｃ」が「楽譜α」を「500部」購入する要求を購入者端末１０２からネットワーク１０４を介して送信した場合に、それを受けた楽譜出版システム１０１の制御部１０６が実行する処理フローを示す。３人目の楽譜購入処理（ステップ１０００）では、購入を希望する楽譜の、曲名（曲名α）・作曲者（作曲者α）・作詞者（作詞者α）および購入部数（500部）情報を、購入者（購入者Ｃ）から取得し（ステップ１００１）、楽譜識別番号変換ＤＢ１０７を検索して、ステップ１００１で取得した「曲名α」・「作曲者α」・「作詞者α」に対応する楽譜識別番号２０４を抽出し（ステップ１００２）、その抽出結果で分岐する（ステップ１０２０）。ここでは、「楽譜α」は既に１，２人目の購入があり楽譜識別番号変換ＤＢ１０７にエントリがあるから、ステップ１０２０の抽出結果で「抽出成功」と判定され、ステップ１００３に進む。なお、「抽出失敗」の場合は今回の購入者が１人目の購入者であったということであるから、ステップ１０２０の分岐でステップ１０２１に進む。この場合は、図８のステップ８０４以降の処理が行われる。
【００４２】
ステップ１００３以降の処理を説明する。まず、楽譜版数管理ＤＢ１０８から「楽譜α」のエントリ３１０を抽出し、出版状況３０２が出版中「１」の版数を取得する（ステップ１００３）。この時点では１版と２版が出版中であるから、「１版」および「２版」が取得される。まず「１版」を対象とし、楽譜管理基本情報ＤＢ１０９の「楽譜α−１版」のエントリ４１０から、出版可能部数４０２（2,500部）と出版累計部数４０４（1,500部）を取得し、購入者Ｃが希望する購入部数（500部）の出版が可能か判定する（ステップ１００４）。ここでは、
2,500 - 1,500  >  500 （出版可能）
であり、この版で出版可能な残存部数は 2,500 - 1,500 = 1,000部あるので、ステップ１００５の判定結果で「出版可能」と判定される。「出版可能」の場合、ステップ１００６に進む。なお、「出版不可」の場合はステップ１０１５に進み、図１１のステップ１１０６以降の処理が行われる。
【００４３】
ステップ１００６以降の処理を説明する。「１版」で出版可能であることが判明しているので、以降は各ＤＢの「楽譜α−１版」の情報が対象となる。まず、楽譜管理基本情報ＤＢ１０９の「楽譜α−１版」のエントリ４１０から購入番号４０３を取得する（ステップ１００６）。この時点では、既に「楽譜α−１版」の出版権で１人の購入者Ａに対する出版が為されているので、購入番号「１」が取得される。次に、当該エントリ４１０の購入番号４０３に「１」加算（購入番号は「２」になる）し（ステップ１００７）、当該エントリ４１０の出版累計部数４０４に、今回購入部数（500部）を加算（出版累計部数は「1,500 + 500 = 2,000」となる）し（ステップ１００８）、購入金額を下記の計算式で計算する（ステップ１００９）。
【００４４】
「購入金額」＝「著作権使用料」×「購入部数」÷「出版累計部数」
1,890円 × 500部 ÷ 2,000部 ＝ 473円
【００４５】
この計算式は、「楽譜α−１版」の「出版累計部数」が2,000部であるところ、その中の500部の分は今回の購入者Ｃが購入したのであるから、「著作権使用料」についてもその割合で購入者Ｃが負担すべきとして購入金額を算出したものである。次に、楽譜管理詳細情報ＤＢ１１０の「楽譜α−１版」のエントリ５１０の購入番号「２」（ステップ１００７で今回の購入者Ｃの「楽譜α−１版」の購入が購入番号「２」であることが判明している）に該当する楽譜管理詳細情報５２１の購入者識別番号５０２に「購入者Ｃ」、購入部数５０３に「500」部、購入金額５０４に「473」円を設定する（ステップ１０１０）。不図示だが、この楽譜管理詳細情報５２１へ設定した情報に沿って、出版社から購入者Ｃに購入金額「473」円を課金し、任意の方法で購入者Ｃに支払ってもらうものとする。
【００４６】
次に、楽譜管理詳細情報ＤＢ１１０の「楽譜α−１版」のエントリ５１０の、購入番号「１」に該当する楽譜管理詳細管理情報５１１から、購入者識別番号５０２（購入者Ａ）を取得し（ステップ１０１１）、当該楽譜管理詳細管理情報５１１の獲得ポイント５０５に、ステップ１００９で算出した購入金額（「473」円）を、獲得ポイントとして付与する（ステップ１０１２）。これは、既に購入者Ａが楽譜αの１版の購入時に著作権使用料の全額「1,890円」を支払っているが、今回同じ版を購入者Ｃが購入し、ステップ１００９で算出した「473円」は購入者Ｃが負担すべきものであるので、その「473円」分をポイントの形で購入者Ａに返金することを意味している。
【００４７】
次に、ステップ１０１１で取得した購入者Ａの購入者ポイント情報６１０の、獲得ポイント合計６０１と残ポイント合計６０３に、ステップ１０１２で付与した獲得ポイント５０５（473ポイント）を加算し、購入者ＡにＥメール等の既存技術を用いて、ポイントを獲得したことを通知する（ステップ１０１３）。最後に、楽譜出版部１１２で、楽譜αを500部出版し、購入者Ｃに送付し（ステップ１０１４）、楽譜購入処理（３人目）を終了する（ステップ１０１５）。
【００４８】
上記図１０の処理のうち、ステップ１００１，１００２，１０２０は図１の判定手段１２１の処理に相当する。ステップ１００３〜１０１４は２回目以降購入処理手段１２３の処理に相当する。
【００４９】
上記図１０の処理により、各ＤＢの内容は、図７（３）から図７（４）へと遷移する。既に獲得済みの著作権を利用して３人目の購入者Ｃに500部出版したので、図７（４）では、楽譜管理基本情報ＤＢ１０９の「楽譜α−１版」のエントリ４１０の購入番号４０３として「２」が、出版累計部数として「2,000部」が、それぞれ設定されている。また、楽譜管理詳細情報ＤＢ１１０の「楽譜α−１版」のエントリ５１０の購入番号５０１が「２」の楽譜管理詳細情報には、購入者識別番号５０２として「購入者Ｃ」が、購入部数５０３として「500部」が、購入金額５０４として「473円」が、それぞれ設定されている。さらに、この１版の以前の購入者Ａは著作権使用料の全額「1,890円」を課金されているが、そのうち「473円」分は購入者Ｃの負担分となるので、購入者Ａにはその「473円」が返金される。従って、図７（４）の楽譜管理詳細情報ＤＢ１１０の「楽譜α−１版」のエントリ５１０の購入番号が「１」のエントリ（購入者Ａ）の獲得ポイント５０５は「473円」が設定されている。これらの獲得ポイントは、購入者ポイント情報ＤＢ１１１に反映される。
【００５０】
図１１Ａおよび図１１Ｂは、「楽譜α」についての４人目の「購入者Ｄ」が「楽譜α」を「800部」購入する要求を購入者端末１０２からネットワーク１０４を介して送信した場合に、それを受けた楽譜出版システム１０１の制御部１０６が実行する処理フローを示す。４人目の楽譜購入処理（ステップ１１００）では、購入を希望する楽譜の、曲名（曲名α）・作曲者（作曲者α）・作詞者（作詞者α）および購入部数（800部）情報を、購入者（購入者Ｄ）から取得し（ステップ１１０１）、楽譜識別番号変換ＤＢ１０７を検索して、ステップ１１０１で取得した「曲名α」・「作曲者α」・「作詞者α」に対応する楽譜識別番号２０４（楽譜α）を抽出し（ステップ１００２）、その抽出結果で分岐する（ステップ１１３０）。ここでは、「楽譜α」は既に１〜３人目の購入があり楽譜識別番号変換ＤＢ１０７にエントリがあるから、ステップ１１３０の抽出結果で「抽出成功」と判定され、ステップ１１０３に進む。なお、「抽出失敗」の場合は１人目の購入者であったということであるから、ステップ１１３０の分岐でステップ１１３１に進む。この場合は、図８のステップ８０４以降の処理が行われる。
【００５１】
ステップ１１０３以降の処理を説明する。楽譜版数管理ＤＢ１０８から「楽譜α」のエントリ３１０を抽出し、出版状況３０２が出版中「１」の版数を取得する（ステップ１００３）。この時点では１版と２版が出版中であるから、「１版」および「２版」が取得される。まず「１版」を対象とし、楽譜管理基本情報ＤＢ１０９の「楽譜α−１版」のエントリ４１０から、出版可能部数４０２（2,500部）と出版累計部数４０４（2,000部）を取得し、購入者Ｄが希望する購入部数（800部）の出版が可能か判定する（ステップ１１０４）。ここでは、
2,500 - 2,000  <  800 （出版不可：300部不足）
であり、ステップ１１０５の判定結果で「出版不可」と判定される。「出版不可」で300部が不足であるが、次の「２版」でその不足分が充当できるかも知れないので、「２版」を対象としてその判定を行うべくステップ１１０６に進む。なお、「出版可能」の場合はステップ１１２５に進み、図１０のステップ１００６以降の処理が行われる。
【００５２】
ステップ１１０６以降の処理を説明する。既に「１版」に残存する出版権の部数を全て使っても未だ300部足りないことが判明しているので、その次の版である「２版」を対象とし、楽譜管理基本情報ＤＢ１０９の「楽譜α−２版」のエントリ４２０から、出版可能部数４０２（2,500部）と出版累計部数４０４（2,000部）を取得し、購入者Ｄが希望する購入部数（800部）のうち、ステップ１１０４の「楽譜α−１版」での部数不足（300部）をカバーして出版が可能か判定する（ステップ１１０６）。ここでは、
2,500 - 2,000  >  800 - 500 （出版可能）
であり、ステップ１１０７の判定結果で「出版可能」と判定される。「出版可能」の場合は、ステップ１１０８に進む。なお、「出版不可」の場合はステップ１１２６に進み、図９のステップ９０６以降の処理が行われる。
【００５３】
ステップ１１０８以降の処理を説明する。既に「１版」で500部、「２版」で300部を使用して購入者Ｄに対する出版が可能なことが判明しているので、まず「１版」についての処理をステップ１１０８〜１１１６で実行し、次に「２版」についての処理をステップ１１１７〜１１２４で実行する。
【００５４】
「１版」を対象として、楽譜管理基本情報ＤＢ１０９の「楽譜α−１版」のエントリ４１０の購入番号４０３を取得する（ステップ１１０８）。この時点では、既に「楽譜α−１版」の出版権で２人の購入者Ａ，Ｃに対する出版が為されているので、購入番号「２」が取得される。次に、当該エントリ４１０の購入番号４０３に「１」加算（購入番号は「３」になる）し（ステップ１１０９）、当該エントリ４１０の出版累計部数４０４に、今回購入部数（500部）を加算（出版累計部数は「2,000 + 500 = 2,500」となる）し（ステップ１１１０）、購入金額を下記の計算式で計算する（ステップ１１１１）。
【００５５】
「購入金額」＝「著作権使用料」×「購入部数」÷「出版累計部数」
1,890円 × 500部 ÷ 2,500部 ＝ 378円
【００５６】
この計算式は、「楽譜α−１版」の「出版累計部数」が2,500部であるところ、その中の500部の分は今回の購入者Ｄが購入したのであるから、「著作権使用料」についてもその割合で購入者Ｄが負担すべきとして購入金額を算出したものである。次に、楽譜管理詳細情報ＤＢ１１０の「楽譜α−１版」のエントリ５１０の購入番号「３」（ステップ１１０９で今回の購入者Ｄの「楽譜α−１版」の購入が購入番号「３」であることが判明している）に該当する楽譜管理詳細情報５１３の購入者識別番号５０２に「購入者Ｄ」、購入部数５０３に「500」部、購入金額５０４に「378」円を設定する（ステップ１１１２）。なお、不図示だが、ステップ１１１０で１版の出版可能部数は満たされたので、楽譜版数管理ＤＢ１０８の楽譜αのエントリ３１０の１版の出版状況３０２は出版終了を示す「２」に設定される。
【００５７】
次に、楽譜管理詳細情報ＤＢ１１０の「楽譜α−１版」のエントリ５１０の、購入番号「１」に該当する楽譜管理詳細管理情報５１１から購入者識別番号５０２（購入者Ａ）と購入部数５０３（1,500部）を、購入番号「２」に該当する楽譜管理詳細管理情報５１２から購入者識別番号５０２（購入者Ｃ）と購入部数５０３（500部）を、取得し（ステップ１１１３）、ステップ１１１２で算出した購入金額「378円」を、ステップ１１１３で取得した「楽譜α−１版」の購入者Ａと購入者Ｃに対し、購入部数に比例する割合（1,500対500）で配分する。購入者Ａの取り分は、378×（1500／2000）＝283円（小数点以下は切り捨て）であり、購入者Ｃの取り分は、378×（500／2000）＝94円（小数点以下は切り捨て）である。そこで、これらの金額に応じて、購入者Ａに「283ポイント」、購入者Ｃに「94ポイント」を、それぞれ獲得ポイント５０５として返金する（ステップ１１１４）。具体的には、楽譜管理詳細情報ＤＢ１１０の「楽譜α−１版」のエントリ５１０の購入番号「１」（購入者Ａ）に該当する楽譜管理詳細管理情報５１１の獲得ポイント５０５に「283ポイント」を設定し、同様に、購入番号「２」（購入者Ｃ）に該当する楽譜管理詳細管理情報５１２の獲得ポイント５０５に「94ポイント」を設定する。
【００５８】
次に、ステップ１１１３で取得した購入者Ａの購入者ポイント情報６１０の、獲得ポイント合計６０１と残ポイント合計６０３に、ステップ１１１４で付与した獲得ポイント５０５（283ポイント）を加算して、購入者ＡにＥメール等の既存技術を用いて、ポイントを獲得したことを通知し（ステップ１１１５）、ステップ１１１３で取得した購入者Ｃの購入者ポイント情報６３０の、獲得ポイント合計６０１と残ポイント合計６０３に、ステップ１１１４で付与した獲得ポイント５０５（94ポイント）を加算し、該購入者ＣにＥメール等の既存技術を用いて、ポイントを獲得したことを通知する（ステップ１１１６）。
【００５９】
次に、「２版」を対象として、楽譜管理基本情報ＤＢ１０９の「楽譜α−２版」のエントリ４２０の購入番号４０３を取得する（ステップ１１１７）。この時点では、既に「楽譜α−２版」の出版権で購入者Ｂに対する出版が為されているので、購入番号「１」が取得される。次に、当該エントリ４２０の購入番号４０３に「１」加算（購入番号は「２」になる）し（ステップ１１１８）、当該エントリ４２０の出版累計部数４０４に、今回購入部数（300部）を加算（出版累計部数は「2,000 + 300 = 2,300」となる）し（ステップ１１１９）、購入金額を下記の計算式で計算する（ステップ１１２０）。
【００６０】
「購入金額」＝「著作権使用料」×「購入部数」÷「出版累計部数」
1,890円 × 300部 ÷ 2,300部 ＝ 247円
【００６１】
この計算式は、「楽譜α−２版」の「出版累計部数」が2,300部であるところ、その中の300部の分は今回の購入者Ｄが購入したのであるから、「著作権使用料」についてもその割合で購入者Ｄが負担すべきとして購入金額を算出したものである。次に、楽譜管理詳細情報ＤＢ１１０の「楽譜α−２版」のエントリ５２０の購入番号「２」（ステップ１１１８で今回の購入者Ｄの「楽譜α−２版」の購入が購入番号「２」であることが判明している）に該当する楽譜管理詳細情報５２２の購入者識別番号５０２に「購入者Ｄ」、購入部数５０３に「300」部、購入金額５０４に「247」円を設定する（ステップ１１２１）。不図示だが、上述のステップ１１１２および１１２１で楽譜管理詳細情報５１３および５２２へ設定した情報に沿って、出版社から購入者Ｄに購入金額「378 + 247 = 625」円を課金し、任意の方法で購入者Ｄに支払ってもらうものとする。
【００６２】
次に、楽譜管理詳細情報ＤＢ１１０の「楽譜α−２版」のエントリ５２０の購入番号「１」に該当する楽譜管理詳細管理情報５２１から、購入者識別番号５０２（購入者Ｂ）を取得し（ステップ１１２２）、ステップ１１２０で算出した購入金額「247円」を、ステップ１１２２で取得した「楽譜α−２版」の購入者Ｂに対し、獲得ポイント５０５として付与する（ステップ１１２３）。次に、ステップ１１２２で取得した購入者Ｂの購入者ポイント情報６２０の、獲得ポイント合計６０１と残ポイント合計６０３に、ステップ１１２３で付与した獲得ポイント５０５（247ポイント）を加算し、該購入者ＢにＥメール等の既存技術を用いて、ポイントを獲得したことを通知する（ステップ１１２４）。最後に、楽譜出版部１１２で、楽譜αを800部出版し、購入者Ｄに送付し（ステップ１１２５）、楽譜購入処理（４人目）を終了する（ステップ１１２６）。
【００６３】
上記図１１の処理のうち、ステップ１１０１，１１０２，１１３０は図１の判定手段１２１の処理に相当する。ステップ１１０３〜１１２５は２回目以降購入処理手段１２３の処理に相当する。
【００６４】
上記図１１の処理により、各ＤＢの内容は、図７（４）から図７（５）へと遷移する。既に獲得済みの著作権を利用（１版で500部、２版で300部）して４人目の購入者Ｄに800部出版したので、図７（５）では、楽譜管理基本情報ＤＢ１０９の「楽譜α−１版」のエントリ４１０の購入番号４０３として「３」、出版累計部数として「2,500部」が、「楽譜α−２版」のエントリ４２０の購入番号４０３として「２」、出版累計部数として「2,300部」が、それぞれ設定されている。また、楽譜管理詳細情報ＤＢ１１０の「楽譜α−１版」のエントリ５１０の購入番号５０１が「３」の楽譜管理詳細情報５１３には、購入者識別番号５０２として「購入者Ｄ」が、購入部数５０３として「500部」が、購入金額５０４として「378円」が設定され、また「楽譜α−２版」のエントリ５２０の購入番号５０１が「２」の楽譜管理詳細情報５２２には、購入者識別番号５０２として「購入者Ｄ」が、購入部数５０３として「300部」が、購入金額５０４として「247円」が設定されている。さらに、１版の以前の購入者Ａ，Ｃが負担していた著作権利用料のうち「378円」分は購入者Ｄの負担分となるので、購入者Ａ，Ｃにはその「378円」が購入部数に応じた按分で返金される。従って、図７（５）の楽譜管理詳細情報ＤＢ１１０の「楽譜α−１版」のエントリ５１０の購入番号が「１」のエントリ（購入者Ａ）の獲得ポイント５０５には「283円」が、購入番号が「２」のエントリ（購入者Ｃ）の獲得ポイント５０５には「94円」が、それぞれ設定されている。これらの獲得ポイントは、購入者ポイント情報ＤＢ１１１に反映される。
【００６５】
なお、上記実施形態では、図９のステップ９０４，９０５の判定で「出版不可」の場合や図１１Ａのステップ１１０６，１１０７の判定で「出版不可」の場合に、既に獲得済みの著作権に基づく残存部数を使わずに、新規に追加出版権を獲得して希望部数分の出版を行うようにしているが、既に獲得済みの著作権に基づく残存部数を使って出版し、残りの足りない部数については新規の追加出版権を利用して出版を行うようにしてもよい。
【００６６】
図１２は、獲得済み著作権を利用する購入処理の概要処理フロー図である。この処理は、購入を希望する楽譜について既に獲得済みの著作権があることを前提とし、それを利用して楽譜の出版を行うものである。利用するデータベースの構成は上記実施形態の図２〜６と同じとする。
【００６７】
獲得済み著作権を利用する購入処理１２００では、購入を希望する楽譜の「購入希望部数」を購入者から取得し（ステップ１２０１）、楽譜管理基本情報ＤＢ１０９に記憶されている出版可能部数４０２と出版累計部数４０４から、「残存部数」を算出（「残存部数」＝「出版可能部数」−「出版累計部数」）する（ステップ１２０２）。次に、ステップ１２０２で算出した「残存部数」分の楽譜を獲得済み著作権を利用して購入する場合の著作権使用料を、今回より以前に発行された部数と今回発行する「残存部数」に基づいて、獲得済み著作権の著作権使用料の金額を按分計算して算出する（ステップ１２０３）。この算出は、例えばステップ１００９や１１１１と同様の計算で行えばよい。
【００６８】
次に、「購入希望部数」と「残存部数」を比較判定し（ステップ１２０４）、「購入希望部数」より「残存部数」の方が多いか同数の場合は、獲得済み著作権を利用して「購入希望部数」の楽譜を発行する（ステップ１２０５）。発行の手順は、例えばステップ１００６〜１０１４などと同様に行えばよい。ステップ１２０４の判定で「購入希望部数」が「残存部数」より多い場合は、新たに著作権管理機関から獲得が必要な「差分部数」を計算する（ステップ１２０６）。計算式は、「購入希望部数」−「残存部数」＝「差分部数」である。
【００６９】
次に、著作権管理機関に、「購入希望部数」以上の出版可能部数を持つ著作権を獲得するときの著作権使用料と、「差分部数」以上の出版可能部数を持つ著作権を獲得するときの著作権使用料を、問い合わせる（ステップ１２０７，１２０８）。そして、ステップ１２０３で算出した「残存部数」を購入する場合の著作権使用料と、ステップ１２０８で著作権管理機関に問い合わせた「差分部数」を購入する場合の著作権使用料との合計金額を計算する（ステップ１２０９）。この合計金額は、「購入希望部数」の出版を、獲得済み著作権の「残存部数」を利用して発行し、さらにそれで足りない「差分部数」分については新たに著作権を獲得して発行した場合の、著作権使用料の合計を示すものである。一方、ステップ１２０７で著作権管理機関に問い合わせた著作権使用料は、獲得済み著作権を利用することなく、「購入希望部数」全ての出版を、新たに著作権を獲得して発行した場合の著作権使用料を示すものである。
【００７０】
次に、ステップ１２０７で著作権管理機関に問い合わせた「購入希望部数」を購入する場合の著作権使用料と、ステップ１２０９で計算した著作権使用料とを比較し（ステップ１２１０）、比較結果で分岐する（ステップ１２１１）。ステップ１２１１で「購入希望部数」の著作権使用料の方が高いまたは同額の場合（すなわち、獲得済み著作権を利用した方が安いか同額の場合）は、著作権管理機関から「差分部数」以上の出版可能部数を持つ著作権を獲得し、獲得した著作権に基づいて「差分部数」の楽譜を発行し、獲得済み著作権を利用して「残存部数」の楽譜を発行することで、「購入希望部数」の楽譜を発行する（ステップ１２１２）。「購入希望部数」の著作権使用料の方が安い場合は、著作権管理機関から「購入希望部数」以上の出版可能部数を持つ著作権を獲得し、獲得した著作権に基づいて「購入希望部数」の楽譜を発行する（ステップ１２１３）。なお、ステップ１２１２の発行の手順は、例えばステップ１１０８〜１１２３と同様に行えばよい。ステップ１２１３の発行の手順は、例えばステップ９０６〜９１２と同様に行えばよい。
【００７１】
著作権使用料は、部数が多ければそれだけ割り引くような設定になっている場合がある。例えば、2,500部の場合は1,890円、5,000部の場合は3,500円、7,500部の場合は5,000円、10,000部の場合は6,500円というような設定である。このような設定になっている場合、獲得済み著作権の残存部数や購入希望部数によっては、獲得済み著作権を利用し、それで不足する部数のみを新規に獲得した著作権で発行する方が安くなるケースと、獲得済み著作権は利用せずに新規に獲得した著作権を利用して発行した方が安くなるケースの両方がある。図１２の処理によれば、著作権使用料が安くなるように著作物を発行できるという効果がある。
【産業上の利用可能性】
【００７２】
本発明は、上記実施形態の楽譜に限らず、種々の著作物の著作権利用料の管理に適用できる。本発明の著作権利用料管理システムにより、著作物を購入する購入者が増えるに従い、すでに支払った著作権利用料の一部が返金されていく、著作権利用料管理方法を提供できる。
【符号の説明】
【００７３】
１０１…楽譜出版システム、１０２…購入者端末、１０３…著作権管理機関、１０４…ネットワーク、１０７…楽譜識別番号管理ＤＢ、１０８…楽譜版数管理ＤＢ、１０９…楽譜管理基本情報ＤＢ、１１０…楽譜管理詳細情報ＤＢ、１１１…購入者ポイント情報ＤＢ、１１２…楽譜出版部。
【図１】
2014174564.tif 000003
【図２】
2014174564.tif 000004
【図３】
2014174564.tif 000005
【図４】
2014174564.tif 000006
【図５】
2014174564.tif 000007
【図６】
2014174564.tif 000008
【図７Ａ】
2014174564.tif 000009
【図７Ｂ】
2014174564.tif 000010
【図７Ｃ】
2014174564.tif 000011
【図８】
2014174564.tif 000012
【図９】
2014174564.tif 000013
【図１０】
2014174564.tif 000014
【図１１Ａ】
2014174564.tif 000015
【図１１Ｂ】
2014174564.tif 000016
【図１２】
2014174564.tif 000017